(57)【特許請求の範囲】
【請求項１】
ねじ部材と、該ねじ部材の前端側部分に外嵌される摘まみケースと、摘まみケースの回転操作がねじ部材に伝達されるようにする状態と、摘まみケースが空転して摘まみケースの回転操作がねじ部材に伝達されないようにする状態とを切り換えるロック部材とからなるねじ部材の不正回転操作防止装置であって、
前記ロック部材が、
押釦、外ケース、該外ケース内に収容された前筒及び後筒並びに前筒及び後筒間に亘って配設した施錠機構部品を備え、突出状態の押釦が押し込まれたときに、ばねによって付勢されて後筒から出没可能に設けているロック用カムが押釦の後部位置の外周面の凹部に嵌合することによって、押釦が押し込まれた状態で保持されるようにした施錠機構と、
摘まみケースとねじ部材とを係合して、摘まみケースの回転操作をねじ部材に伝達する係合機構とからなり、
施錠機構の押釦が突出状態のとき、係合機構により摘まみケースとねじ部材とを係合し、
施錠機構の押釦が押し込み操作され、その状態が保持されているとき、係合機構による摘まみケースとねじ部材との係合を解除して施錠機構が施錠され、
施錠機構を鍵を用いて回転操作して開錠することによって、ロック用カムの押釦の凹部に対する嵌合状態を解除することで、施錠機構の押釦が突出状態に復帰させ、鍵を元の位置まで回転操作して、施錠機構から引き抜くようにした
ことを特徴とするねじ部材の不正回転操作防止装置。
【請求項２】
前記摘まみケースの後端側開口端面に、操作用のピンを挿入するためのピン挿入溝を開口させ、ねじ部材のピンが摘まみケースの内周面に形成された溝に挿入されることにより、ねじ部材が摘まみケースに抜け止めされており、ピン挿入溝から操作用のピンを挿入することによって、ばねの付勢力に抗してねじ部材のピンを押し下げて摘まみケースからねじ部材及びロック部材を分離して取り出すことができるようにしてなることを特徴とする請求項１に記載のねじ部材の不正回転操作防止装置。
【発明の詳細な説明】
【技術分野】
【０００１】
本発明は、ねじ部材の不正回転操作防止装置に関し、特に、指で摘まんで操作するねじ部材の不正回転操作防止装置に関するものである。
【背景技術】
【０００２】
従来、回転操作を行う機械装置において、不正な回転操作（誤操作を含む。）を防止するための各種機構が提案され、実用化されている。
【０００３】
このような機構の１つとして、本件出願人は、先に、ハンドルに施錠機構を備えることによって、ハンドルの回転操作が回転軸に伝達されるようにする状態と、ハンドルが空転してハンドルの回転操作が回転軸に伝達されないようにする状態とを選択できるようにした不正回転操作防止装置を提案した（特許文献１参照。）。
【先行技術文献】
【特許文献】
【０００４】
【特許文献１】特開２０１５−２００４０１号公報
【発明の概要】
【発明が解決しようとする課題】
【０００５】
ところで、特許文献１で提案した不正回転操作防止装置は、ハンドルという大型の機械装置には適しているが、指で摘まんで操作するねじ部材のような小型の機械装置には適用することができず、小型の機械装置に適用することが可能な不正回転操作防止装置が要請されていた。
【０００６】
本発明は、このような要請に鑑み、指で摘まんで操作するねじ部材の不正回転操作防止装置を提供することを目的とする。
【課題を解決するための手段】
【０００７】
上記目的を達成するため、本発明のねじ部材の不正回転操作防止装置は、ねじ部材と、該ねじ部材の前端側部分に外嵌される摘まみケースと、摘まみケースの回転操作がねじ部材に伝達されるようにする状態と、摘まみケースが空転して摘まみケースの回転操作がねじ部材に伝達されないようにする状態とを切り換えるロック部材とからなるねじ部材の不正回転操作防止装置であって、前記ロック部材が、押釦、外ケース、該外ケース内に収容された前筒及び後筒並びに前筒及び後筒間に亘って配設した施錠機構部品を備え、突出状態の押釦が押し込まれたときに、ばねによって付勢されて後筒から出没可能に設けているロック用カムが押釦の後部位置の外周面の凹部に嵌合することによって、押釦が押し込まれた状態で保持されるようにした施錠機構と、摘まみケースとねじ部材とを係合して、摘まみケースの回転操作をねじ部材に伝達する係合機構とからなり、施錠機構の押釦が突出状態のとき、係合機構により摘まみケースとねじ部材とを係合し、施錠機構の押釦が押し込み操作され、その状態が保持されているとき、係合機構による摘まみケースとねじ部材との係合を解除して施錠機構が施錠され、施錠機構を鍵を用いて回転操作して開錠することによって、ロック用カムの押釦の凹部に対する嵌合状態を解除することで、施錠機構の押釦が突出状態に復帰させ、鍵を元の位置まで回転操作して、施錠機構から引き抜くようにしたことを特徴とする。
【０００８】
この場合において、前記摘まみケースの後端側開口端面に、操作用のピンを挿入するためのピン挿入溝を開口させ、ねじ部材のピンが摘まみケースの内周面に形成された溝に挿入されることにより、ねじ部材が摘まみケースに抜け止めされており、ピン挿入溝から操作用のピンを挿入することによって、ばねの付勢力に抗してねじ部材のピンを押し下げて摘まみケースからねじ部材及びロック部材を分離して取り出すことができるようにすることができる。
【発明の効果】
【０００９】
本発明のねじ部材の不正回転操作防止装置によれば、ねじ部材と、該ねじ部材の前端側部分に外嵌される摘まみケースと、摘まみケースの回転操作がねじ部材に伝達されるようにする状態と、摘まみケースが空転して摘まみケースの回転操作がねじ部材に伝達されないようにする状態とを切り換えるロック部材とからなるねじ部材の不正回転操作防止装置であって、前記ロック部材が、押釦を備えた施錠機構と、摘まみケースとねじ部材とを係合して、摘まみケースの回転操作をねじ部材に伝達する係合機構とからなり、施錠機構の押釦が突出状態のとき、係合機構により摘まみケースとねじ部材とを係合し、施錠機構の押釦が押し込まれた状態のとき、係合機構による摘まみケースとねじ部材との係合を解除して施錠機構が施錠され、施錠機構を開錠することによって施錠機構の押釦が突出状態に復帰するようにすることにより、指で摘まんで操作するねじ部材の不正回転操作防止装置を提供することができる。
【００１０】
また、摘まみケースの後端側開口端面に、摘まみケースからねじ部材及びロック部材を分離して取り出すことができるようにするピン挿入溝を開口させることにより、摘まみケースからねじ部材及びロック部材を分離して取り出すことができるようにするピン挿入溝を、使用状態では外観から見えないようにすることができ、ねじ部材の不正回転操作防止装置の安全性及び意匠性を向上することができる。
【図面の簡単な説明】
【００１１】
【図１】本発明のねじ部材の不正回転操作防止装置の第１実施例の組み立て工程を示し、（ａ１）〜（ａ３）及び（ｂ１）〜（ｂ３）は取り付け工程の説明図、（ｃ）は摘まみケースの説明図である。
【図２】同ねじ部材の不正回転操作防止装置の操作工程を示し、（ａ）は取り付け工程の説明図、（ｂ）は取り外し工程の説明図である。
【図３】同ねじ部材の不正回転操作防止装置の操作工程を示し、（ａ）は施錠機構が開錠状態のときの説明図、（ｂ）は施錠機構が施錠状態のときの説明図である。
【図４】同ねじ部材の不正回転操作防止装置の操作工程を示し、（ａ）は施錠機構が開錠状態のときの説明図、（ｂ）及び（ｃ）は施錠機構が施錠状態のときの説明図、（ｄ）〜（ｆ）は施錠機構を開錠するときの説明図、（ｇ）は鍵の説明図である。
【図５】同ねじ部材の不正回転操作防止装置を分解した状態を示す説明図である。
【図６】本発明のねじ部材の不正回転操作防止装置の第２実施例の操作工程を示し、（ａ）は施錠機構が開錠状態のときの説明図、（ｂ）は施錠機構が施錠状態のときの説明図である。
【図７】本発明のねじ部材の不正回転操作防止装置の第３実施例の組み立て工程を示し、（ａ１）〜（ａ３）及び（ｂ１）〜（ｂ３）は取り付け工程の説明図、（ｃ）は摘まみケースの説明図である。
【図８】同ねじ部材の不正回転操作防止装置の分解工程を示す説明図である。
【図９】同ねじ部材の不正回転操作防止装置の分解工程を示す説明図である。
【発明を実施するための形態】
【００１２】
以下、本発明のねじ部材の不正回転操作防止装置の実施の形態を、図面に基づいて説明する。
【００１３】
図１〜図５に、本発明のねじ部材の不正回転操作防止装置の第１実施例を示す。
このねじ部材の不正回転操作防止装置は、ねじ部材１と、このねじ部材１の前端側部分に外嵌される摘まみケース２と、摘まみケース２の回転操作がねじ部材１に伝達されるようにする状態と、摘まみケース２が空転して摘まみケース２の回転操作がねじ部材１に伝達されないようにする状態とを切り換えるロック部材３とからなる。
【００１４】
そして、ロック部材３が、押釦４を備えた施錠機構５と、摘まみケース２とねじ部材１とを係合して、摘まみケース２の回転操作をねじ部材１に伝達する係合機構６とからなり、施錠機構５の押釦４が突出状態のとき、係合機構６により摘まみケース２とねじ部材１とを係合し、施錠機構５の押釦４が押し込まれた状態のとき、係合機構６による摘まみケース２とねじ部材１との係合を解除して施錠機構５が施錠され、施錠機構５を開錠することによって施錠機構５の押釦４が突出状態に復帰するようにされている。
【００１５】
この場合において、ねじ部材１は、雄ねじ１１と、雄ねじ１１の前端側に設けた円柱部１２とからなり、円柱部１２には、ばねによって付勢されるピン１３と、係合機構６のボール６１とを、それぞれ出没可能に設けるようにする。
【００１６】
なお、本実施例において、ねじ部材１のねじ部分は、雄ねじ１１で構成されているが、雌ねじで構成することもできる。
【００１７】
また、係合機構６のボール６１は、３個のボール６１を、円柱部１２に等角度間隔に形成したボール挿入孔にそれぞれ挿入するようにしたが、それ以外の個数、例えば、図６に示す、本発明のねじ部材の不正回転操作防止装置の第２実施例のように、１個にすることもできる。
【００１８】
摘まみケース２は、筒状（本実施例においては、円筒状。）をするとともに、必要に応じて、外周面にローレット等の滑り止めを施し（ローレット等の滑り止めのほか、外周面を多角形形状等に形成したり、蝶ねじのような摘まみ部を設けることもできる。）、施錠機構５及び係合機構６からなるロック部材３並びにねじ部材１の円柱部１２を内部に収容し、施錠機構５の押釦４が前端側開口端面から突出して、押し込み操作を行うことができるようにしている。
摘まみケース２に収容されたねじ部材１は、ピン１３が摘まみケース２の内周面に形成された溝２１に挿入されることにより、係合機構６が働かないときは、摘まみケース２に対して抜け止めされた状態で自由に回転できるようにされている。なお、ねじ部材１の抜け止め機構として、ピン１３に代えて、図３及び図５に示すように、Ｃ型止め輪１４を用いることもできる。
また、摘まみケース２に収容された施錠機構５は、外ケース５１が、ピン２２によって、摘まみケース２に固定されている。
【００１９】
施錠機構５は、押釦４、外ケース５１、外ケース５１内に収容された前筒５２及び後筒５３、前筒５２及び後筒５３間に亘って配設したピンタンブラ５４、ドライバピン５５等の施錠機構部品とからその主要部が構成されている。外ケース５１と後筒５３とは、ピン３２によって固定されている。なお、施錠機構５には、機械式のもののほか、磁石式のものを用いることもできる。
【００２０】
押釦４は、施錠機構５の外ケース５１に対して、連結ピン５６を介して、前筒５２と共に回転するとともに、ばね４１の付勢力に抗して、後方に向けて押し込むことができるようにしている。
【００２１】
押釦４は、図４（ａ）〜（ｂ）に示すように、中間部に長孔４２を備え、施錠機構５の外ケース５１に対して、長孔４２に挿通される、前筒５２に取り付けた連結ピン５６を介して、前筒５２と共に回転するとともに、ばね４１の付勢力に抗して、後方に向けて押し込むことができるようにしている。
また、押釦４は、長孔４２より後部位置の外周面に凹部４３を備え、押釦４が後方に向けて押し込まれたときに、外ケース５１の内周面によって背面が支持されたばねによって付勢されて、後筒５３から出没可能に設けているロック用カム５７が凹部４３に嵌合することによって、押釦４が押し込まれた状態で保持されるようにしている。
【００２２】
押し込まれた状態で保持されている押釦４の突出状態への復帰は、図４（ｃ）〜（ｇ）に示すように、鍵７を用いて、施錠機構５を開錠することによって行う。
具体的には、鍵７を施錠機構５に差し込むことによって、ピンタンブラ５４とドライバピン５５とが当接した境界面が、前筒５２と後筒５３の境界面の位置に来るように押し込み、鍵７を回転操作することで、前筒５２及びそれに従動させて押釦４を回転させると、凹部４３に嵌合していたロック用カム５７が外れ、押釦４は突出状態に復帰する。なお、鍵７が施錠機構５に合致したものでない場合は、ピンタンブラ５４とドライバピン５５とが当接した境界面が、前筒５２と後筒５３の境界面の位置に来ないため、鍵７を回転操作できない
押釦４は突出状態に復帰した後、鍵７を元の位置まで回転操作して、施錠機構５から引き抜くようにする。
【００２３】
そして、押釦４が突出状態のとき、係合機構６により摘まみケース２とねじ部材１とが係合されて、摘まみケース２の回転操作がねじ部材１に伝達されるようにし、押釦４が押し込まれた状態のとき、係合機構６による摘まみケース２とねじ部材１との係合が解除されて、摘まみケース２が空転して摘まみケース２の回転操作がねじ部材１に伝達されないようにする。
具体的には、係合機構６は、ボール６１と、押釦４の後端部に取り付けたボール押し上げ用カム６２とからなり、押釦４が突出状態のとき、ボール６１がボール押し上げ用カム６２に当接して放射方向外側に移動し、ボール６１を介して、摘まみケース２とねじ部材１とが係合され、摘まみケース２の回転操作がねじ部材１に伝達されるようにし、摘まみケース２を回転操作することによって、図２（ａ）に示すように、ねじ部材１を取り付け対象部材９に取り付けたり、図２（ｂ）に示すように、ねじ部材１を取り付け対象部材９から取り外すことができるものとなる。
一方、押釦４が押し込まれた状態のとき、ボール６１が押釦４の軸部に当接して中心方向内側に移動し、ボール６１による摘まみケース２とねじ部材１との係合が解除され、係合機構６による摘まみケース２とねじ部材１との係合が解除されて、摘まみケース２が空転して摘まみケース２の回転操作がねじ部材１に伝達されないようにし、摘まみケース２を回転操作しても、ねじ部材１を取り付け対象部材９に取り付けたり、ねじ部材１を取り付け対象部材９から取り外すことができないようにする。
【００２４】
ところで、摘まみケース２の内部に施錠機構５及び係合機構６からなるロック部材３並びにねじ部材１の円柱部１２を収容するのに際して、図７〜図９に示す、本発明のねじ部材の不正回転操作防止装置の第３実施例のように、摘まみケース２の後端側開口端面に、摘まみケース２からねじ部材１及びロック部材３を分離して取り出すことができるようにするピン挿入溝２３を開口させることができる。
この場合、摘まみケース２には、摘まみケース２の後端側開口端面に開口する突起ガイド溝２４を形成し、摘まみケース２の内部にロック部材３を収容する際に、ロック部材３の外周面に形成した突起３１が、突起ガイド溝２４に入り込むようにすることで、摘まみケース２と外ケース５１とを固定するピン２２を省略するようにしている。なお、外ケース５１と後筒５３とは、ピン３２によって固定されている。
これにより、ピン挿入溝２３にピン８を挿入することによって、ばねの付勢力に抗してピン１３を押し下げて、摘まみケース２からねじ部材１を取り出し、次に、ロック部材３を取り出すことができるとともに、ピン挿入溝２３を、使用状態では外観から見えないようにすることができ、ねじ部材の不正回転操作防止装置の安全性及び意匠性を向上することができる。
【００２５】
以上、本発明のねじ部材の不正回転操作防止装置について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２６】
本発明のねじ部材の不正回転操作防止装置によれば、指で摘まんで操作するねじ部材の不正回転操作防止装置を提供することができる。
【符号の説明】
【００２７】
１  ねじ部材
２  摘まみケース
３  ロック部材
４  押釦
５  施錠機構
６  係合機構
７  鍵
８  ピン
９  取り付け対象部材
【図１】
0006769595.tif 000002
【図２】
0006769595.tif 000003
【図３】
0006769595.tif 000004
【図４】
0006769595.tif 000005
【図５】
0006769595.tif 000006
【図６】
0006769595.tif 000007
【図７】
0006769595.tif 000008
【図８】
0006769595.tif 000009
【図９】
0006769595.tif 000010